(57)【特許請求の範囲】
【請求項１】
同時再生の対象となる複数の動画データを動画セットとして、当該動画セットを単位に再生の制御を実行する再生制御装置であって、
複数の動画データの組み合わせが異なる各々の動画セットに対応させて、この動画セットが示す複数の動画データを同時再生する場合の再生条件を記憶する再生条件記憶手段と、
前記再生条件記憶手段に記憶されている複数の動画セットの中から再生対象となる動画セットが指定された場合に、この指定された動画セットに対応付けて記憶されている再生条件で、この動画セットが示す複数の動画データを同時再生する同時再生制御手段と、
前記複数の動画データを所定の表示デバイスに一覧表示させた状態で、動画セットに含めるべき任意の動画データをユーザに複数選択させる選択手段と、
前記選択手段により任意に選択された複数の動画データからなる新たな動画セットを生成する生成手段と、
この生成された動画セットが示す複数の動画データを同時再生する場合の再生条件を指定する指定手段と、
この動画セットと再生条件との対応付けを示す情報を同時再生情報として前記再生条件記憶手段に追加して登録する登録手段と、
を備え、
前記選択手段は、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる
ことを特徴とする再生制御装置。
【請求項２】
動画データの再生を制御する再生制御装置であって、
複数の動画データの組み合わせを示す動画セット情報を複数記憶する動画セット記憶手段と、
前記動画セット記憶手段に記憶されている複数の動画データの組み合わせが異なる複数の動画セット情報の中から、同時再生の対象となる任意の動画セット情報をユーザに選択させる第１の選択手段と、
前記第１の選択手段により選択された動画セット情報が示す複数の動画データを同時再生する同時再生制御手段と、
複数の動画データを所定の表示デバイスに一覧表示させた状態で、組み合わせるべき任意の動画データをユーザに複数選択させる第２の選択手段と、
前記第２の選択手段により任意に選択された複数の動画データの組み合わせを示す動画セット情報を前記動画セット記憶手段に追加して登録する登録手段と、
前記第２の選択手段による複数の動画データの選択において、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる表示制御手段と、
を備えることを特徴とする再生制御装置。
【請求項３】
前記動画セット記憶手段に記憶されている複数の動画セット情報の各々に対応させて、各動画セット情報が示す複数の動画データを同時再生する場合の再生条件とを対応付けた同時再生情報を記憶する再生条件記憶手段を更に備え、
前記同時再生制御手段は、前記再生条件記憶手段に記憶されている複数の同時再生情報の中から再生対象となる同時再生情報が指定された場合に、この指定された同時再生情報に含まれる再生条件で、この同時再生情報に含まれる動画セット情報が示す複数の動画データを同時再生する
ことを特徴とする請求項２に記載の再生制御装置。
【請求項４】
複数の動画データを同時再生する場合の再生条件を任意に指定する指定手段と、
前記指定手段により任意に指定された再生条件と前記動画セット情報との対応付けを示す同時再生情報を前記再生条件記憶手段に追加して登録する前記登録手段と、
を更に備えたことを特徴とする請求項３に記載の再生制御装置。
【請求項５】
前記再生条件は、同時再生する複数の動画データの再生タイミングを合わせる条件であり、再生タイミングを合わせる各動画データのフレーム位置を含む
ことを特徴とする請求項３又は４に記載の再生制御装置。
【請求項６】
複数の動画セット情報に共通して第１の動画データが組み合わせに含まれる場合、前記再生条件は、この第１の動画データと組み合わせる相手側の動画データの違いに応じて、この第１の動画データの再生タイミングを合わせるフレーム位置が異なるように指定される、
ことを特徴とする請求項５に記載の再生制御装置。
【請求項７】
手本となるゴルフスイングが撮影された第１の動画データが、他の比較対象となる複数のゴルフスイングが撮影された複数の動画データとの間で組み合わされて複数の動画セット情報を構成する場合、前記再生条件は、第１の動画データの再生タイミングを合わせるべきフレーム位置であってゴルフスイングに特有の複数のチェックポイントのいずれかに対応するフレーム位置を、相手側の動画データにおいて比較すべきチェックポイントの違いに応じて異ならせるように指定される
ことを特徴とする請求項５に記載の再生制御装置。
【請求項８】
前記再生条件は、同時再生する複数の動画データを同一画面上に並べて配置する場合の配置条件を含む
ことを特徴とする請求項３乃至７の何れか１項に記載の再生制御装置。
【請求項９】
動画データを再生する再生制御装置が実行する再生制御方法であって、
複数の動画データの組み合わせが異なる各々の動画セットに対応させて、この動画セットが示す複数の動画データを同時再生する場合の再生条件を記憶手段に記憶し、
この記憶した複数の動画セットの中から再生対象となる動画セットが指定された場合に、この指定された動画セットに対応付けて記憶されている再生条件で、この動画セットが示す複数の動画データを同時再生し、
複数の動画データを所定の表示デバイスに一覧表示させた状態で、動画セットに含めるべき任意の動画データをユーザに複数選択させ、
この任意に選択された複数の動画データからなる新たな動画セットを生成し、
この生成された動画セットが示す複数の動画データを同時再生する場合の再生条件を指定し、
この動画セットと再生条件との対応付けを示す情報を同時再生情報として前記記憶手段に追加して登録し、
前記複数の動画データの選択において、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる
ことを特徴とする再生制御方法。
【請求項１０】
動画データを再生する再生制御装置が実行する再生制御方法であって、
複数の動画データの組み合わせを示す動画セット情報を記憶手段に複数記憶し、
この記憶した複数の動画データの組み合わせが異なる複数の動画セット情報の中から、同時再生の対象となる任意の動画セット情報をユーザに選択させ、
この選択された動画セット情報が示す複数の動画データを同時再生し、
複数の動画データを所定の表示デバイスに一覧表示させた状態で、組み合わせるべき任意の動画データをユーザに複数選択させ、
この任意に選択された複数の動画データの組み合わせを示す動画セット情報を前記記憶手段に追加して登録し、
前記複数の動画データの選択において、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる、
ことを特徴とする再生制御方法。
【請求項１１】
動画データの再生を制御するコンピュータを、
複数の動画データの組み合わせが異なる各々の動画セットに対応させて、この動画セットが示す複数の動画データを同時再生する場合の再生条件を記憶する再生条件記憶手段と、
前記再生条件記憶手段に記憶されている複数の動画セットの中から再生対象となる動画セットが指定された場合に、この指定された動画セットに対応付けて記憶されている再生条件で、この動画セットが示す複数の動画データを同時再生する同時再生制御手段と、
前記複数の動画データを所定の表示デバイスに一覧表示させた状態で、動画セットに含めるべき任意の動画データをユーザに複数選択させる選択手段と、
前記選択手段により任意に選択された複数の動画データからなる新たな動画セットを生成する生成手段と、
この生成された動画セットが示す複数の動画データを同時再生する場合の再生条件を指定する指定手段と、
この動画セットと再生条件との対応付けを示す情報を同時再生情報として前記再生条件記憶手段に追加して登録する登録手段と、
して機能させ、
前記選択手段は、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる
ことを特徴とするプログラム。
【請求項１２】
動画データの再生を制御するコンピュータを、
複数の動画データの組み合わせを示す動画セット情報を複数記憶する動画セット記憶手段と、
前記動画セット記憶手段に記憶されている複数の動画データの組み合わせが異なる複数の動画セット情報の中から、同時再生の対象となる任意の動画セット情報をユーザに選択させる第１の選択手段と、
前記第１の選択手段により選択された動画セット情報が示す複数の動画データを同時再生する同時再生制御手段と、
複数の動画データを所定の表示デバイスに一覧表示させた状態で、組み合わせるべき任意の動画データをユーザに複数選択させる第２の選択手段と、
前記第２の選択手段により任意に選択された複数の動画データの組み合わせを示す動画セット情報を前記動画セット記憶手段に追加して登録する登録手段と、
前記第２の選択手段による複数の動画データの選択において、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる表示制御手段と、
として機能させることを特徴とするプログラム。
【発明の詳細な説明】
【技術分野】
【０００１】
本発明は、動画データを同時再生する、再生制御装置、再生制御方法及びプログラムに関する。
【背景技術】
【０００２】
従来から、別々に記録された２つの動画データを同時再生する技術が存在する。具体的には、離隔地の動画データと自己の動画データとの時刻タイミングをそれぞれ一致させて同時再生する技術が存在する（例えば、特許文献１参照）。また、複数の動画データを同期再生するための同期開始点の設定を行うことにより、同期再生する技術が存在する（例えば、特許文献２参照）。
【先行技術文献】
【特許文献】
【０００３】
【特許文献１】特開平１０−３０９３３５号公報
【特許文献２】特開２００１−３６８６７号公報
【発明の概要】
【発明が解決しようとする課題】
【０００４】
しかしながら、上述の特許文献１及び２を含め従来の技術では、同時再生の対象となる各動画データの再生開始位置は、動画毎に個別に設定されていた。このため、同時再生の対象となる動画データの組（以下、「動画セット」と呼ぶ）が入れ替わった場合であっても、入れ替わる前と同一の再生開始位置から同時再生されるか、改めて設定し直された再生開始位置から同時再生されていた。
したがって、従来の技術においては、動画の組み合わせが入れ替わった動画セットが再生対象になると、入れ替わる前と比較して、動画データ毎に比較しやすく再生することが困難になってしまう。
【０００５】
本発明は、このような状況に鑑みてなされたものであり、同時再生の対象となる動画セットに応じて容易に複数の動画データを比較しやすく再生することを目的とする。
【課題を解決するための手段】
【０００６】
上記目的を達成するため、本発明の一態様の再生制御装置は、同時再生の対象となる複数の動画データを動画セットとして、当該動画セットを単位に再生の制御を実行する再生制御装置であって、複数の動画データの組み合わせが異なる各々の動画セットに対応させて、この動画セットが示す複数の動画データを同時再生する場合の再生条件を記憶する再生条件記憶手段と、前記再生条件記憶手段に記憶されている複数の動画セットの中から再生対象となる動画セットが指定された場合に、この指定された動画セットに対応付けて記憶されている再生条件で、この動画セットが示す複数の動画データを同時再生する同時再生制御手段と、前記複数の動画データを所定の表示デバイスに一覧表示させた状態で、動画セットに含めるべき任意の動画データをユーザに複数選択させる選択手段と、前記選択手段により任意に選択された複数の動画データからなる新たな動画セットを生成する生成手段と、この生成された動画セットが示す複数の動画データを同時再生する場合の再生条件を指定する指定手段と、この動画セットと再生条件との対応付けを示す情報を同時再生情報として前記再生条件記憶手段に追加して登録する登録手段と、を備え、前記選択手段は、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させることを特徴とする。
本発明の他の態様の再生制御装置は、動画データの再生を制御する再生制御装置であって、複数の動画データの組み合わせを示す動画セット情報を複数記憶する動画セット記憶手段と、前記動画セット記憶手段に記憶されている複数の動画データの組み合わせが異なる複数の動画セット情報の中から、同時再生の対象となる任意の動画セット情報をユーザに選択させる第１の選択手段と、前記第１の選択手段により選択された動画セット情報が示す複数の動画データを同時再生する同時再生制御手段と、複数の動画データを所定の表示デバイスに一覧表示させた状態で、組み合わせるべき任意の動画データをユーザに複数選択させる第２の選択手段と、前記第２の選択手段により任意に選択された複数の動画データの組み合わせを示す動画セット情報を前記動画セット記憶手段に追加して登録する登録手段と、前記第２の選択手段による複数の動画データの選択において、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる表示制御手段と、を備えることを特徴とする。
【発明の効果】
【０００７】
本発明によれば、同時再生の対象となる動画セットに応じて容易に複数の動画を比較しやすく再生することが可能となる。
【図面の簡単な説明】
【０００８】
【図１】再生制御装置のハードウェアの構成を示すブロック図である。
【図２】複数画面再生制御処理を実行するための機能的構成を示す機能ブロック図である。
【図３】図１の記憶部に記憶されている、配置条件を設定するための方向対応テーブルを示す図である。
【図４】図２の機能的構成を有する再生制御装置１が実行する二画面再生制御処理の流れを示すフローチャートである。
【図５】図１の記憶部に記憶されている、動画セットを生成するための動画種別対応テーブルを示す図である。
【図６】同時再生情報が未設定の場合の二画面再生制御処理の具体例を示す図である。
【図７】同時再生情報が未設定の場合の二画面再生制御処理の具体例を示す図である。
【図８】同時再生情報が未設定の場合の二画面再生制御処理の具体例を示す図である。
【図９】同時再生情報が未設定の場合の二画面再生制御処理の具体例を示す図である。
【図１０】同時再生情報が未設定の場合の二画面再生制御処理の具体例を示す図である。
【図１１】同時再生情報が未設定の場合の二画面再生制御処理の具体例を示す図である。
【図１２】同時再生情報が未設定の場合の二画面再生制御処理の具体例を示す図である。
【図１３】同時再生情報が未設定の場合の二画面再生制御処理の具体例を示す図である。
【図１４】同時再生情報が設定されている場合の二画面再生制御処理の具体例を示す図である。
【図１５】同時再生情報が設定されている場合の二画面再生制御処理の具体例を示す図である。
【図１６】二画面再生制御処理において行われる、マルチ表示とシングル表示を切り替える二画面選択画面の具体例を示す図である。
【発明を実施するための形態】
【０００９】
以下、本発明の一実施形態について、図面を用いて説明する。
［ハードウェア構成］
図１は、本発明の一実施形態に係る再生制御装置１のハードウェアの構成を示すブロック図である。
再生制御装置１は、例えばデジタルカメラとして構成される。
【００１０】
本実施形態に係る再生制御装置１は、動画データの組合せが異なる複数の動画セットの各々に対応付けられている再生条件で、再生対象の動画セットに含まれる複数の動画データを同時再生する。
【００１１】
再生制御装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
ＣＰＵ１１は、例えば、後述する二画面再生制御処理のためのプログラム等、ＲＯＭ１２に記録されているプログラム、又は、記憶部１９からＲＡＭ１３にロードされたプログラムに従って各種の処理を実行する。
【００１２】
ＲＡＭ１３には、ＣＰＵ１１が各種の処理を実行する上において必要なデータ等も適宜記憶される。
【００１３】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１４】
撮像部１６は、図示はしないが、光学レンズ部と、イメージセンサと、を備えている。
【００１５】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１６】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１等に適宜供給される。
【００１７】
入力部１７は、各種釦やポインティングデバイス、ソフトウェアキー等で構成され、二画面再生制御処理における二画面再生対象となる動画セットの選択、各動画についての再生条件の設定を行うための指示操作、ズームレンズのズーム操作等、ユーザの指示操作に応じて各種情報を入力する。
出力部１８は、ディスプレイやスピーカ等で構成され、画像や音声を出力する。
記憶部１９は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１８】
ドライブ２１には、磁気ディスク、光ディスク、光磁気ディスク、あるいは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００１９】
［機能的構成］
図２は、このような再生制御装置１の機能的構成のうち、複数画面再生制御処理を実行するための機能的構成を示す機能ブロック図である。
複数画面再生制御処理とは、同時再生の対象となる複数の動画データから構成される動画セットを生成し、当該動画データに含まれる複数の動画データの各々の再生条件を設定し、各々設定した再生条件に基づいて当該複数の動画データを同一画面に同時再生させるまでの一連の処理をいう。
【００２０】
複数画面再生制御処理が実行される場合、ＣＰＵ１１においては、主制御部４１と、セット生成部４２と、再生条件指定部４３と、同時再生情報登録部４４と、同時再生制御部４５と、が機能する。
記憶部１９の一領域として、動画記憶部６１と、同時再生情報記憶部６２と、が設けられている。
動画記憶部６１は、複数画面再生制御処理において再生対象となり得る複数の動画データを記憶する。動画記憶部６１に記憶される動画データは、撮像部１６により撮像された撮像画像のデータであってもよいし、外部から供給される動画データであってもよい。
同時再生情報記憶部６２は、後述の動画セットを構成する複数の動画データの各々の再生条件と、当該複数の動画データが当該動画セットに含まれていることを特定可能な情報（以下、単に「動画セットの情報」と呼ぶ）とを対応付けた情報を記憶する。以下、このようにして同時再生情報記憶部６２に記憶される情報を、「同時再生情報」と呼ぶ。
【００２１】
主制御部４１は、再生制御装置１が複数画面再生制御処理を実行する場合、再生制御装置１全体を制御する。なお、主制御部４１の制御の詳細については、図４等を参照して後述する。
【００２２】
セット生成部４２は、動画記憶部６１に記憶されている複数の動画データの中から任意の動画データを複数選択することで新たな動画セットを生成する。
【００２３】
また、セット生成部４２は、データ選択部７１を備えている。
データ選択部７１は、動画記憶部６１に記憶されている複数の動画データ（より正確にはそのサムネイル画像等）を出力部１８に一覧表示させた状態で、動画セットに含めるべき複数の動画データをユーザに選択させる。
また、データ選択部７１は、１つの動画データが選択された後は、残りの動画データについて、この選択された動画データとの同時再生に不適な動画データを判断し、不適と判断した動画データの選択を禁止した状態で、複数の動画データを出力部１８に一覧表示させる。
【００２４】
再生条件指定部４３は、ユーザによる入力部１７の指示操作に基づいて、セット生成部４２により生成された動画セットに含まれる複数の動画データを同時再生する場合の再生条件を任意に指定する。
【００２５】
再生条件指定部４３により指定される再生条件とは、所定の動画セットについてのみ有効になる、当該所定の動画セットに含まれる複数の動画データの各々の再生に関する各種条件をいう。
具体的には例えば、複数の動画セットに共通して第１の動画データが含まれる場合に、この第１の動画データと組み合わせる相手側の動画データの違いに応じて、この第１の動画データの再生タイミングを合わせるフレーム位置が異なるように、複数の動画セットの再生条件が再生条件指定部４３により指定される。
より具体的には例えば、手本となるゴルフスイングを撮影した第１の動画データが、他の比較対象となる複数のゴルフスイングを撮影した複数の動画データとの間で複数の動画セットを構成する場合に、第１の動画データの再生タイミングを合わせるべきフレーム位置であってゴルフスイングに特有の複数のチェックポイントのいずれかに対応するフレーム位置が、相手側の動画データにおいて比較すべきチェックポイントの違いに応じて異ならせるように、複数の動画セットの再生条件が再生条件指定部４３により指定される。
【００２６】
ここで、再生条件指定部４３により指定される再生条件としては、例えば、同時再生する複数の動画データの再生タイミングを合わせる条件が採用可能である。
具体的には例えば、同時再生する複数の動画データの再生タイミングを合わせる条件として、ゴルフスイングであれば、「インパクトの再生タイミングを合わせる条件」や、「トップの再生タイミングを合わせる条件」等が採用される。
【００２７】
また例えば、再生条件指定部４３により指定される再生条件としては、再生タイミングを合わせる各動画データのフレーム位置が採用可能である。
具体的には例えば、同時再生する複数の動画データの再生タイミングを合わせる条件としては、ゴルフスイングであれば、「インパクトの様子が映っているフレームの番号（位置）」や、「トップの様子が映っているフレームの番号（位置）」等が採用される。
ここで、再生タイミングを合わせる位置は、特に限定されないが、図６以降を参照して説明する具体例においては、再生を開始する各動画データのフレーム位置（以下、「スタートポイント」とも適宜呼ぶ）が採用されている。
【００２８】
また、再生条件指定部４３により指定される再生条件としては、同時再生する複数の動画データを同一画面上に並べて配置する場合の配置条件を採用することも可能である。この配置条件としては、各動画の縦置きや横置きの設定、各動画の相対的配置位置、各動画の表示サイズ、等の各種条件を任意の数だけ含めることができる。
【００２９】
図３は、図１の記憶部１９に記憶されている、配置条件を設定するための方向対応テーブルを示す図である。
図３の例では、説明の簡略上、２つの動画データ（以下それぞれ「ムービーＡ」，「ムービーＢ」とそれぞれ呼ぶ）が同時再生されるものとされている。そして、ムービーＡが鑑賞者からみて左側に配置され、ムービーＢが鑑賞者からみて右側に配置されるものとされている。
図３の方向対応テーブルには、ムービーＡ，Ｂからなる動画セットが生成された場合における、ムービーＡ，Ｂの各々の配置条件として、撮影方向と、縦横自動回転の入り切りの有無とに応じた各種条件が記憶されている。
ここで、縦横自動回転とは、再生制御装置１の姿勢位置に応じて、出力部１８のディスプレイの表示方向が縦方向又は横方向に自動的に変更される機能をいう。そして、「入」の場合にはこの機能が発揮され、「切」の場合にはこの機能の発揮が禁止（それゆえ表示方向は固定）される。
【００３０】
具体的には例えば、ムービーＡ，Ｂ共に撮影方向が横置きの場合であって、縦横自動回転が「入」の場合には、図３の１行１列目のように、ムービーＡ，Ｂ共に横置きに配置され、かつ、再生制御装置１が横方向に向いている場合にはムービーＡ，Ｂが横方向に並ぶ一方、再生制御装置１が縦方向に向いている場合にはムービーＡ，Ｂが縦方向に並ぶように、ムービーＡ，Ｂの各々の配置条件が設定される。
【００３１】
また例えば、ムービーＡ，Ｂ共に撮影方向が縦置きの場合であって、縦横自動回転が「入」の場合には、図３の１行２列目のように、ムービーＡ，Ｂ共に縦置きに配置され、かつ、再生制御装置１が横方向に向いている場合にはムービーＡ，Ｂが横方向に並ぶ一方、再生制御装置１が縦方向に向いている場合にはムービーＡ，Ｂが縦方向に並ぶように、ムービーＡ，Ｂの各々の配置条件が設定される。
【００３２】
また例えば、ムービーＡの撮影方向が縦置きでありムービーＢの撮影方向が横置きである場合であって、縦横自動回転が「入」の場合には、図３の１行３列目のように、ムービーＡが縦置きにムービーＢが横置きに配置され、かつ、再生制御装置１が横方向に向いている場合にはムービーＡ，Ｂが横方向に並ぶ一方、再生制御装置１が縦方向に向いている場合にはムービーＡ，Ｂが縦方向に並ぶように、ムービーＡ，Ｂの各々の配置条件が設定される。
【００３３】
また例えば、ムービーＡの撮影方向が横置きでありムービーＢの撮影方向が縦置きである場合であって、縦横自動回転が「入」の場合には、図３の１行４列目のように、ムービーＡが横置きにムービーＢが縦置きに配置され、かつ、再生制御装置１が横方向に向いている場合にはムービーＡ，Ｂが横方向に並ぶ一方、再生制御装置１が縦方向に向いている場合にはムービーＡ，Ｂが縦方向に並ぶように、ムービーＡ，Ｂの各々の配置条件が設定される。
【００３４】
また例えば、ムービーＡ，Ｂ共に撮影方向が横置きの場合であって、縦横自動回転が「切」の場合には、図３の２行１列目のように、ムービーＡ，Ｂ共に横置きに配置され、かつ、再生制御装置１の方向によらずムービーＡ，Ｂが横方向に並ぶように、ムービーＡ，Ｂの各々の配置条件が設定される。
【００３５】
また例えば、ムービーＡ，Ｂ共に撮影方向が縦置きの場合であって、縦横自動回転が「切」の場合には、図３の２行２列目のように、ムービーＡ，Ｂ共に縦置きに配置され、かつ、再生制御装置１の方向によらずムービーＡ，Ｂが横方向に並ぶように、ムービーＡ，Ｂの各々の配置条件が設定される。
【００３６】
また例えば、ムービーＡの撮影方向が縦置きでありムービーＢの撮影方向が横置きである場合であって、縦横自動回転が「切」の場合には、図３の２行３列目のように、ムービーＡが縦置きにムービーＢが横置きに配置され、かつ、再生制御装置１の方向によらずムービーＡ，Ｂが横方向に並ぶように、ムービーＡ，Ｂの各々の配置条件が設定される。
【００３７】
また例えば、ムービーＡの撮影方向が横置きでありムービーＢの撮影方向が縦置きである場合であって、縦横自動回転が「切」の場合には、図３の２行４列目のように、ムービーＡが横置きにムービーＢが縦置きに配置され、かつ、再生制御装置１の方向によらずムービーＡ，Ｂが横方向に並ぶように、ムービーＡ，Ｂの各々の配置条件が設定される。
【００３８】
図２に戻り、同時再生情報登録部４４は、セット生成部４２によりセットされた動画セットの情報と、再生条件指定部により指定された再生条件とを対応付けた同時再生情報を生成して、同時再生情報記憶部に記憶（登録）する。
【００３９】
同時再生制御部４５は、再生対象となる動画セットの再生条件が指定された場合、この指定された動画セットに対応付けて記憶されている再生条件で、この動画セットに含まれる複数の動画データを出力部１８のディスプレイで同時再生するように制御する。
【００４０】
以上説明した如く、動画セットに含まれる動画データの個数は、複数個であれば特に限定されないが、以下の説明では、便宜上２個であるものとする。この場合、複数画面再生制御処理は、「二画面再生制御処理」と呼ぶものとする。
【００４１】
［動作］
［二画面再生制御処理］
次に、図２の機能的構成を有する再生制御装置１が実行する、二画面再生制御処理について説明する。
図４は、図２の機能的構成を有する再生制御装置１が実行する二画面再生制御処理の流れを示すフローチャートである。
再生制御装置１の動作モードとして通常の動画再生モード等の複数のモードが予め設定されており、ユーザが入力部１７を操作して、それらの動作モードのうち二画面同時再生モードを指示した場合に、二画面再生制御処理が開始される。
【００４２】
ステップＳ１１において、同時再生情報の生成処理が指定されているか否かを判断し、同時再生情報の生成処理が指定されていないと判断された場合には、ステップＳ１７の処理に進む。
なお、同時再生情報の生成処理は、新規に同時再生情報を生成する他、既に生成されている同時再生情報を編集する処理が含まれる。
ステップＳ１７において、同時再生制御部４５は、後述する処理によって既に登録されて記憶部１９に記憶されている同時再生情報があれば、いずれかの同時再生情報をユーザに選択させた後、ステップＳ１８に進む。
一方、ステップＳ１１において、同時再生情報の生成処理が指定されていると判断された場合にはステップＳ１２に進み、セット生成部４２は、二画面再生対象となる動画セットを生成（新規に動画セットを生成する他、既に生成されている動画セットの編集を含む）する。本実施形態においては、セット生成部４２は、第１の動画データ（例えばムービーＡ）及び第２の動画データ（例えばムービーＢ）により構成される動画セットを生成する。セット生成部４２による動画セットの具体例については後述するが、ここでは、本実施形態で採用されている動画セットの生成手法の一部について、図５を参照して説明する。
【００４３】
図５は、図１の記憶部１９に記憶されている、動画セットを生成するための動画種別対応テーブルを示す図である。
図５の動画種別対応テーブルには、動画セットとして構成可能なムービーＡ（第１の動画データ）及びムービーＢ（第２の動画データ）の条件が、通常ムービー、ゴルフＢＳ（ベストショット）ムービー、プロゴルファームービー毎にそれぞれ格納されている。
本実施形態では、ムービＡ，Ｂになり得る動画データの種類として、撮影時に設定された次の７種類が予め設定されている。即ち、ＦＨＤ（Ｆｕｌｌ  Ｈｉｇｈ  Ｄｅｆｉｎｉｔｉｏｎ），ＨＤ（Ｈｉｇｈ  Ｄｅｆｉｎｉｔｉｏｎ），ＳＴＤ（Ｓｔａｎｄａｒｄ），ＨＳ１２０（Ｈｉｇｈ  Ｓｐｅｅｄ  １２０ｆｐｓ），ＨＳ２４０（Ｈｉｇｈ  Ｓｐｅｅｄ  ２４０ｆｐｓ），ＨＳ４８０（Ｈｉｇｈ  Ｓｐｅｅｄ  ４８０ｆｐｓ），ＨＳ１０００（Ｈｉｇｈ  Ｓｐｅｅｄ  １０００ｆｐｓ）の７種類が予め設定されている。
即ち、図５の「同種ムービーなら二画面比較可能」とは、ムービーＡ，Ｂの各々の種類が、上記７種類のうち同一種類ならば、二画面同時再生が可能、即ちムービＡ，Ｂから動画セットを構成することが可能であることを意味している。なお、本実施形態では、二画面同時再生が最大５秒間とされているが、再生時間がこれに限定されないことは言うまでもない。
【００４４】
図４に戻り、ステップＳ１３において、再生条件指定部４３は、ステップＳ１２において生成された動画セットを構成する動画データのうち、第１の動画データについて、スタートポイント（再生開始位置）を含む再生条件を設定（指定）する条件設定処理を実行する（新規に再生条件を設定する他、既に設定されている再生条件を編集する処理を含む）。本実施形態では、再生条件指定部４３は、ユーザによる入力部１７の操作に基づき受け付けた第１の動画データに対する各種条件を、再生条件として指定する。ステップＳ１３における条件設定処理の具体例については、後述する。
【００４５】
ステップＳ１４において、再生条件指定部４３は、ステップＳ１２において生成された動画セットを構成する動画データのうち、第２の動画データについて、スタートポイント（再生開始位置）を含む再生条件を設定（指定）する条件設定処理を実行する。本実施形態では、再生条件指定部４３は、ユーザによる入力部１７の操作に基づき受け付けた第２の動画データに対する各種条件を、再生条件として指定する。ステップＳ１４における条件設定処理の具体例については、後述する。
【００４６】
ステップＳ１５において、同時再生情報登録部４４は、ステップＳ１２及びステップＳ１３において設定した各々の動画データの再生条件に基づき同時再生情報を生成して同時再生情報記憶部６２に追加して登録（記憶）する。
【００４７】
ステップＳ１６において、同時再生制御部４５は、新規に登録した同時再生情報に基づく二画面同時再生処理を直ちに実行するか否かを判断し、直ちに実行しないと判断された場合には、ステップＳ１９へ進む。
一方、直ちに実行すると判断された場合にはステップＳ１８に進み、同時再生制御部４５は、ステップＳ１５において登録された同時再生情報またはステップＳ１７において選択された同時再生情報に基づいて二画面再生処理を実行する。二画面再生処理とは、ステップＳ１２において生成された動画セットを構成する第１の動画及び第２の動画を、ステップＳ１５において登録された同時再生情報に基づいて、それぞれスタートポイントを合わせた状態で出力部１８から再生出力する処理をいう。二画面再生処理の具体例については、後述する。
【００４８】
ステップＳ１９において、主制御部４１は、他の動画セットを対象とした処理を続けるか否かを判定する。他の動画セットを対象とした処理を続ける場合には、ステップＳ１９においてＹＥＳであると判定され、処理はステップＳ１２に戻される。この場合、ステップＳ１２乃至Ｓ１９において、新たな動画セットを対象とした処理が繰り返し実行される。これに対して、他の動画セットを対象とした処理を続けない場合には、ステップＳ１９においてＮＯであると判定され、二画面再生処理は終了となる。
【００４９】
次に、図６乃至図１６を参照して、二画面再生制御処理の具体例について説明する。
初めに、図６乃至図１３を参照して同時再生情報が未設定（未生成）の場合の二画面再生制御処理について説明する。図６乃至図１３は、同時再生情報が未設定の場合の二画面再生制御処理の具体例を示す図である。
出力部１８のディスプレイにＰＬＡＹメニューが表示（図省略）されている状態で、ＰＬＡＹメニューの第一階層で入力部１７のカーソルキーの右キー又はＳＥＴキーがユーザにより押下されることにより、出力部１８のディスプレイに図６に示す二画面リスト画面が表示される。
【００５０】
図６の二画面リスト画面には、未選択表示と画像なしのサムネイル表示で同時再生情報が設定（生成）されていないことを示す。この二画面リスト画面では、４０件／カードまでリスト作成を行うことができる。
ユーザの操作に基づき入力部１７の再生キー又は設定キー選択された場合には、主制御部４１は、何も表示せずに、出力部１８のスピーカからエラー音を出力する。
二画面リスト画面が表示されている状態で、ユーザの操作に基づき入力部１７のＭＯＶＩＥキーが選択された場合には、図７の二画面選択画面（二画面再生するムービーの選択画面）が出力部１８のディスプレイに表示される。
【００５１】
図７の二画面選択画面では、出力部１８のディスプレイにはムービーのサムネイルのみが表示される。図７の状態においては、未だムービーが選択されていない状態である。
図７の例では、ユーザが入力部１７のカーソルキー（右キー、左キー、上キー、下キー）を操作することにより仮選択されたムービーデータを、そのムービー表示全体をカーソル枠で囲むことで表している。
図７の二画面選択画面では、入力部１７のズームレバーでムービーのシングル表示を行うことができる。シングル表示を行うことにより、個々のタイムスタンプ表示の確認を行うことができる（タイムスタンプは、常時表示される）。シングル表示を行う具体例については、後述の図１６を参照して説明する。
図７の二画面選択画面において、ムービーを１つも選択せずに完了した場合には、リストを消去して、図６に戻り、二画面リスト画面が再びディスプレイに表示される。
図７の二画面選択画面において、ユーザの操作に基づき入力部１７のカーソルキーを操作して所望のムービーを選択後、ユーザの操作に基づき入力部１７のＳＥＴキーが押下されると、図８に示すように、二画面選択画面において任意のムービーが選択される。
【００５２】
図８の二画面選択画面において、ユーザによる入力部１７の操作に基づき任意の１つのムービーが選択されると、異種のムービーのシングル及びマルチ選択画面にＯＳＤ（ｏｎ  ｓｃｒｅｅｎ  ｄｉｓｐｌａｙ）による網掛け表示が付いて、選択不可であることがディスプレイに表示される（例えば、図８左上のサムネイル参照）。異種のムービーとは、同一（又は近似する）種類のフォーマットにより構成されていないムービーであり、主制御部４１は、図５の動画種別対応テーブルを参照して該当のムービーが同一（又は近似する）種類のフォーマットであるか判定する。
また、異種のムービーの判断方法として、動画のフォーマット以外にも、動画に写っているメイン被写体の種類や、被写体の動作の種別（例えば、ゴルフスイング、テニス、水泳などのスポーツの種別など）などで判断するようにしてもよい。
図８の二画面選択画面がディスプレイに表示されている場合に、ユーザによる入力部１７の操作に基づき網掛け表示（ＯＳＤ）付きの異種ムービーが選択された場合には、主制御部４１は、ディスプレイに何も表示せずに、出力部１８のスピーカからエラー音を出力する。
ムービーが１つ選択されている場合に、ユーザによる入力部１７の操作に基づき完了キー（ＭＥＮＵキー）押下された場合には、主制御部４１は、出力部１８のディスプレイにエラーメッセージ「２つのファイルを選択してください」と表示する。
ムービーが３つ選択された場合には、主制御部４１は、出力部１８のディスプレイにエラーメッセージ「３つのファイルは選択できません」と表示する。なお、図８の二画面選択画面において選択したムービーはラストメモリーとして記憶される。
図８の二画面選択画面において、入力部１７のＭＥＮＵキーが押下されると、図９に示すようにディスプレイに一方のムービー（ムービーＡ）のスタートポイント設定画面が表示される。この図６の二画面リスト画面乃至図８の二画面選択画面における処理が、二画面再生制御処理におけるステップＳ１２の処理に相当する。
【００５３】
図９のスタートポイント設定画面において、同時再生制御部４５は、スタートポイントから再生を開始する。図９のスタートポイント設定画面では、ムービーの再生が一時停止している。ここで、スタートポイントとは、二画面再生を開始する位置をいう。同時再生情報が設定（生成）されていない場合、新規ムービーのスタートポイントは先頭に設定される。なお、既にリスト化された（スタートポイントが設定された）ムービーの場合には、その最新のスタートポイントに従う。他と異なるスタートポイントが設定された場合であっても、過去のスタートポイントには影響しない。
図１０のスタートポイントサーチ画面において、設定されたスタートポイントは調整してラストメモリーとして記憶することができる。なお、繰り返し再生時には、同時再生制御部４５は、スタートポイントの位置に関係なく、先頭から終わりまで繰り返して再生を行う。
図９のスタートポイント設定画面において、入力部１７のカーソルキーの右又は左が押下されると、該当するムービーのコマ送り、コマ戻し、再生を行うことができる。ムービーのコマ送り、コマ戻し、再生を行うことが行われた場合には、主制御部４１は、該当するムービーの再生位置を示す秒数カウンターをムービーの右上に重畳して表示する。
図９のスタートポイントサーチ画面において、ユーザの入力部１７の操作に基づきＳＥＴキーが押下されると、図１０に示すように、ディスプレイにスタートポイントサーチ画面が表示される。
【００５４】
図１０のスタートポイントサーチ画面において、同時再生制御部４５は、ムービーの先頭から再生を開始する。同時再生制御部４５は、この場合、スタートポイントから実時間で５秒間の再生を行うことができる。なお、ＨＳ２４０時は、４０秒間の再生を行うことができる。
図１０のスタートポイントサーチ画面において、主制御部４１は、ＤＣＦ（Ｄｅｓｉｇｎ  ｒｕｌｅ  ｆｏｒ  Ｃａｍｅｒａ  Ｆｉｌｅ  ｓｙｓｔｅｍ）番号が若い方（ムービーＡ）からスタートポイントを指定する。主制御部４１は、マーカーが重なる場合には、位置表示マーカーを上に表示する。
図１０のスタートポイントサーチ画面において、ユーザの入力部１７の操作に基づきＳＥＴキーが押下されると、ディスプレイに表示される画面が再び図９のスタートポイント設定画面に戻る。
そして、図９のスタートポイントサーチ画面において、ユーザの入力部１７の操作に基づきカーソルキーの下が押下されるとムービーＡのスタートポイントが設定され、図１１に示すようにディスプレイに、もう一方のムービー（ムービーＢ）のスタートポイント設定画面が表示される。この図９のスタートポイント設定画面及び図１０のスタートポイントサーチ画面における処理が、二画面再生制御処理におけるステップＳ１３の処理に相当する。
【００５５】
図１１のスタートポイント設定画面において、同時再生制御部４５は、スタートポイントから再生を開始する。図１１のスタートポイント設定画面では、ムービーの再生が一時停止している。同時再生情報が設定（生成）されていない場合、新規ムービーのスタートポイントは先頭に設定される。なお、既にリスト化された（スタートポイントが設定された）ムービーの場合には、その最新のスタートポイントに従う。他と異なるスタートポイントが設定された場合であっても、過去のスタートポイントには影響しない。
図１２のスタートポイントサーチ画面において、設定されたスタートポイントは調整してラストメモリーとして記憶することができる。なお、繰り返し再生時には、同時再生制御部４５は、スタートポイントの位置に関係なく、先頭から終わりまで繰り返して再生を行う。
図１１のスタートポイントサーチ画面において、入力部１７のＳＥＴキーが押下されると、図１２に示すように、ディスプレイにスタートポイントサーチ画面が表示される。
【００５６】
図１２のスタートポイントサーチ画面において、同時再生制御部４５は、スタートポイントからムービー再生を開始する。図１２のスタートポイントサーチ画面においては、ムービーを一時停止しないと、この状態でスタートポイントを確定することができない。主制御部４１は、マーカーが重なる場合には、位置表示マーカーを上に表示する。図１２のスタートポイントサーチ画面において、同時再生制御部４５は、ムービーＢの再生をスタートポイントの位置に関係なく先頭から終わりまで繰り返し行う。
図１２のスタートポイントサーチ画面において、ユーザの入力部１７の操作に基づきＳＥＴキーが押下されると、再び図１１のスタートポイント設定画面に戻る。
そして、図１１のスタートポイントサーチ画面において、入力部１７のカーソルキーの下が押下されるとムービーＢのスタートポイントが設定され、図１３に示すように、ディスプレイに二画面の再生が行われる。この図１１のスタートポイント設定画面及び図１２のスタートポイントサーチ画面における処理が、二画面再生制御処理におけるステップＳ１４の処理に相当する。
【００５７】
図１３の二画面の再生中画面において、同時再生制御部４５は、スタートポイントの設定後、二画面同時再生処理を直ちに実行することが指定されている場合は、直ちにムービーＡ及びムービーＢの再生を同時にスタートポイントから行う。ムービーＡ及びムービーＢの両方の再生が終了したら、ムービーの再生を一時停止する。この場合、同時再生制御部４５は、一方（例えば、ムービーＡ）のムービー再生が終わっても、他方（例えば、ムービーＢ）のムービー再生が終わるまで一時停止する。ムービーの再生が終了すると、ディスプレイに二画面再生編集画面が表示される（図示せず）。この二画面再生編集画面が表示されている状態で、ユーザによる入力部１７の操作に基づき、「メイン画面へ」が選択されると、処理が図６の二画面リスト画面の処理に遷移する。ユーザによる入力部１７の操作に基づき、「（左）スタート位置変更」が選択されると、処理が図９のスタートポイント設定画面の処理に遷移する。ユーザによる入力部１７の操作に基づき、「（左）ムービー再選択」が選択されると、処理が図８の二画面選択画面の処理に遷移する。ユーザによる入力部１７の操作に基づき、「（右）スタート位置変更」が選択されると、処理が図１１のスタートポイント設定画面の処理に遷移する。ユーザによる入力部１７の操作に基づき、「（右）ムービー再選択」が選択されると、処理が図８の二画面選択画面の処理に遷移する。左右のムービー（ムービーＡ及びムービーＢ）の変更時に、目的のムービー又は目的のムービーのページの二画面選択画面に遷移する（目的のムービーにカーソルを当てる）。左右のムービー（ムービーＡ及びムービーＢ）の変更時でも両方のムービーの変更を行うことができる。この図１３の二画面の再生中画面における処理が、二画面再生制御処理におけるステップＳ１８の処理に相当する。
【００５８】
以上、同時再生情報が未設定のリスト部分に新たな同時再生情報を生成する場合の二画面再生制御処理について説明した。
次に、図１４及び図１５を参照して同時再生情報が設定（生成）されているリスト部分の同時再生情報の内容を編集する場合の二画面再生制御処理について説明する。図１４及び図１５は、同時再生情報が設定されている場合の二画面再生制御処理の具体例を示す図である。
同時再生情報が設定されている場合の二画面再生制御処理は、同時再生情報が設定されていない場合の二画面再生制御処理（図６乃至図１３）と基本的に同様の処理が行われる。したがって、図６乃至図１３の処理は、同時再生情報が設定されている場合の二画面再生制御処理と基本的に同様の画面がディスプレイに表示される処理が行われる。但し、同時再生情報が設定されている場合の二画面再生制御処理の二画面リスト画面では、設定されているムービーのサムネイル表示とタイムスタンプ表示で同時再生情報が設定されていることを示すのに対し、同時再生情報が設定されていない場合の二画面再生制御処理の二画面リスト画面では、未選択表示と画像なしのサムネイル表示で同時再生情報が設定されていないことを示す点で相違する。
したがって、同時再生情報が設定されている場合の二画面再生制御処理では、図６の二画面リスト画面の処理に換えて、図１４の二画面リスト画面がディスプレイに表示される処理が行われる。また、図７の二画面選択画面の処理に換えて、図１５の二画面選択画面の処理が行われる。
以下、図１４及び図１５を参照して、同時再生情報が設定されている場合の二画面再生制御処理について説明する。
【００５９】
図１４の二画面リスト画面には、設定されているムービーのサムネイル表示とタイムスタンプ表示で同時再生情報が設定されていることを示す。この日時表示は二画面処理直後のタイムスタンプを表す。この二画面リスト画面では、４０件／カードまでリスト作成を行うことができる。
ユーザの操作に基づき入力部１７の再生キーが選択された場合には、図１３に示すように、ディスプレイに二画面の再生が行われる。ユーザの操作に基づき入力部１７の完了キーが選択された場合には、図９に示すように、スタートポイント設定画面の処理が行われる。
設定したムービーデータが１つでも見つからない場合、未選択として、主制御部４１は、何も表示せずに、出力部１８のスピーカからエラー音を出力する。
二画面リスト画面が表示されている状態で、ユーザの操作に基づき入力部１７のＭＯＶＩＥキーが選択された場合には、図１５の二画面選択画面（二画面再生するムービーの選択画面）が出力部１８のディスプレイに表示される。
【００６０】
図１５の二画面選択画面では、出力部１８のディスプレイにはムービーのサムネイルのみが表示される。図１５の状態においては、未だムービーが選択されていない状態である
図１５の例では、ユーザの操作に基づき入力部１７のＭＥＮＵキーが押下された時のムービーデータに対しカーソルが選択されている。図１５の二画面選択画面では、入力部１７のズームレバーでムービーのシングル表示を行うことができる。シングル表示を行うことにより、個々のタイムスタンプ表示の確認を行うことができる（タイムスタンプは、常時表示される）。シングル表示を行う具体例については、後述の図１６を参照して説明する。
図１５の二画面選択画面において、ムービーを１つも選択せずに完了した場合には、リストを消去して、図１４に戻り、二画面リスト画面が再びディスプレイに表示される。
図１５の二画面選択画面において、ユーザの操作に基づき入力部１７のカーソルキーを操作して所望のムービーを選択後、ユーザの操作に基づき入力部１７のＳＥＴキーが押下されると、図８に示すように、二画面選択画面において任意のムービーが選択される。
【００６１】
以上、同時再生情報が設定されている場合及び未設定の場合の二画面再生制御処理について説明した。
次に、図１６を参照して二画面再生制御処理において行われる、マルチ表示とシングル表示を切り替える二画面選択画面の例について説明する。
図１６は、二画面再生制御処理において行われる、マルチ表示とシングル表示を切り替える二画面選択画面の具体例を示す図である。
図１６（Ａ）に示すように、二画面選択マルチ画面が選択されている場合に、ユーザが入力部１７のズームキーを操作することにより、マルチ表示とシングル表示とを切り替えることができる。
例えば、図１６（Ａ）の二画面選択マルチ画面が表示されている状態で、ユーザが入力部１７のズームキーを選択すると、カーソル位置にあるサムネイルがフルスクリーン表示されて、ディスプレイに図１６（Ｂ）の二画面選択シングル画面が表示される。図１６（Ｂ）の二画面選択シングル画面においては、選択しやすくするため、録画情報とタイムスタンプ表示とを含んで表示される。図１６（Ｂ）の二画面選択シングル画面が表示されている状態で、ユーザが入力部１７のズームキーを選択すると、サムネイルが縮小して、ディスプレイに図１６（Ａ）の二画面選択マルチ画面が表示される。
【００６２】
なお、図１６（Ｂ）の二画面選択シングル画面が表示されている状態で、ユーザが入力部１７のカーソルキーの右を押下すると、次の画像がディスプレイに表示される。同様に、図１６（Ｂ）の二画面選択シングル画面が表示されている状態で、ユーザが入力部１７のカーソルキーの左を押下すると、前の画像がディスプレイに表示される。
【００６３】
なお、ユーザによる入力部１７のリング設定キーの操作により、操作対象切り換えを行うことができる。つまり、ユーザーによる動画の再生、停止、スロー、早送りなどの指示操作を、２つの動画に対して同時に指示するか、どちらか一方の動画（ムービーＡのみ又はムービーＢのみ）だけに指示するかを自由に設定することができる。
例えば、同時再生制御部４５は、二画面同時再生中にユーザによる入力部１７の停止キーの押下操作に基づき、二画面同時の操作が設定されている場合にはムービーＡとムービーＢの両方の再生を同時に一時停止し、片方のムービーのみ（ムービーＡのみ又はムービーＢのみ）の操作が設定されている場合にはムービーＡもしくはムービーＢの選択中のムービーの再生のみを一時停止する。
この場合、同時再生制御部４５は、再び再生キーが押下されるなどして一時停止状態が解除されると、停止していたムービーの再生を再開する。
なお、二画面再生での操作対象切り換え時の入力部１７の操作バーはディスプレイに表示される。
同時再生制御部４５は、二画面再生中の各々のムービーの再生時間の長さが異なる場合には、再生時間が長いムービーの再生が終わるまで再生時間が短いムービーを一時停止する。そして、同時再生制御部４５は、２つのムービーの再生が終了すると、２つのムービーの最終のシーンでそれぞれ一時停止する。
なお、一時停止中に入力部１７のカーソルキーの下が押下されると、通常の一時停止中のカーソルキーの下の押下操作と異なり、同時再生制御部４５は、再度スタートポイントから再生を開始する。
なお、ユーザにより入力部１７のカーソルキーの下が押下されると、主制御部４１は、ディスプレイに表示されている各種ソフトウェアキー（操作バー）の表示及び非表示を切り替える。
【００６４】
なお、上述の実施形態の再生制御装置１は、ＦＨＤ／ＳＴＤ／ＨＳムービーを左右もしくは上下に二画面並べ比較することでより高度なフォーム分析を行うことができる。
また、比較できるデータはＦＨＤ／ＨＤ／ＳＴＤ／ＨＳ１２０／ＨＳ２４０／ＨＳ４８０／ＨＳ１０００のみ（連写ファイルを含む）とし、静止画は対象外に設定することができる。なお、ゴルフ専用ベストショットで撮影したムービーだけでなく、通常撮影モードで録画したムービーも比較できる。但し、比較できるのは同じ種類のムービーに限定することができる。
【００６５】
本実施形態では、二画面再生時の選択は何度でも選択可能とし、回数制限は設けないように設定することができる。但し、同じ動画の二画面比較は不可に設定することができる。また、二画面再生での位置表示マーカー（ムービー再生位置表示）は非表示だが、操作バーは表示することができる。なお、操作バーの縦置き対応はせず、常時通常の方法で表示するように設定することもできる。
また、スタートポイント設定済みのムービーを使って他の組合せ（以後、リスト）を作成する場合、作成するスタートポイントは設定済みのスタートポイントに基づいて作成することができる。この場合、スタートポイントの編集をスキップすることができる。
なお、スタートポイントの再編集を行っても他のリストの同じムービーのスタートポイントに影響しないように設定することができる。なお、スタートポイントが複数設定されているムービーを使う場合、最後に設定されたスタートポイントに基づいて設定することができる。
【００６６】
また、二画面再生された（スタートポイント設定済みの）ムービーを一画面再生する場合、スタートポイントは無視し従来どおりのムービー再生を行うこともできる。
また、二画面再生の表示順はＤＣＦ（Ｄｅｓｉｇｎ  ｒｕｌｅ  ｆｏｒ  Ｃａｍｅｒａ  Ｆｉｌｅ  ｓｙｓｔｅｍ）番号の若い、もしくはシステム領域に配置したデータをディスプレイに向って左側に配置することができる。
また、二画面再生はプロゴルファー等の上手なプレイヤー対ユーザ等の比較を可能にするため（特定のファイルでしか消去できない）システム領域にプロゴルファーのムービーデータを配置し、プロゴルファーとの二画面での比較をすることができる。この場合、プロゴルファーのムービーは何度でも使用できるように設定することができる。
【００６７】
また、システム領域のデータは（内蔵メモリもしくはＳＤメモリーカード使用時でも）通常データ同様ＰＬＡＹ定常で表示することができる。但し、スライドショー、拡大再生以外は非対応とすることもできる。
また、二画面再生時の音声再生は不可とする設定にすることができる。また、再生制御装置１の電源を立ち上げた後、二画面リストのサンプルにＷＥＢからプロのムービーをダウンロードし二画面比較できる環境を整えることができる。（例えば、プロのファイル名として「ＣＩＭＧ０００１．ＭＯＶ」を設定し、日付として、「２０１２／１／１」を設定することができる）。
また、プロゴルファーのムービーはユーザによる二画面の選択変更やスタートポイントを変更することができる。また、ＳＤメモリーカードがライトプロテクトされている場合、メニュー設定「二画面再生」を選択時、エラーメッセージを表示する。
また、二画面再生の組合せデータはＳＤメモリーカードに保存する（例えば、フォルダー名として「ＥＸＩＬＩＭ」を設定し、ファイル名として「ｄｍｐ．ｂｉｎ」を設定することができる）。
【００６８】
以上説明したように、同時再生の対象となる複数の動画データを動画セットとして、当該動画セットを単位に再生の制御を実行する本実施形態の再生制御装置１は、同時再生情報記憶部６２と、同時再生制御部４５と、を備える。
同時再生情報記憶部６２は、複数の動画データの組み合わせが異なる各々の動画セットに対応させて、この動画セットが示す複数の動画データを同時再生する場合の再生条件を記憶する。
同時再生制御部４５は、前記再生条件記憶手段に記憶されている複数の動画セットの中から再生対象となる動画セットが指定された場合に、この指定された動画セットに対応付けて記憶されている再生条件で、この動画セットが示す複数の動画データを同時再生する。
これにより、同時再生の対象となる動画セットが入れ替わった場合であっても、動画セットに応じて容易に複数の動画データを比較しやすく再生することができる。
【００６９】
また、本実施形態の再生制御装置１は、セット生成部４２と、再生条件指定部４３と、同時再生情報登録部４４と、を更に備える。
セット生成部４２は、複数の動画データの中から任意の動画データを複数選択することで新たな動画セットを生成する。再生条件指定部４３は、この生成された動画セットが示す複数の動画データを同時再生する場合の再生条件を指定する。そして、同時再生情報登録部４４は、この動画セットと再生条件との対応付けを示す情報を同時再生情報として前記再生条件記憶手段に追加して登録する。
これにより、同時再生の対象となる動画セット毎に、再生条件を指定して同時再生情報として登録することができる。したがって、予め同時再生情報が登録された動画セットが生成された場合には、改めて再生条件を指定することなく、所望の再生条件で各動画を同時再生することができる。
【００７０】
また、本実施形態の再生制御装置１の再生条件は、同時再生する複数の動画データの再生タイミングを合わせる条件である。
これにより、時間軸が異なる各々の動画データの再生タイミングを再生条件とすることにより、ゴルフ、野球、テニスなどのスポーツフォーム分析、成長記録の比較、学校での物理の実験や研究の時の比較分析などを容易に行うことができる。
【００７１】
また、本実施形態の再生制御装置１の再生条件は、再生タイミングを合わせる各動画データのフレーム位置を含む。
これにより、別々に録画した複数の動画（例えば、通常動画及びハイスピード動画）を同時再生する場合、動画セットを構成する各動画データのフレーム位置に基づいて同時再生することができる。したがって、予め同時再生情報が登録された動画セットが生成された場合には、再生条件に含まれるフレーム位置に基づいて容易に同時再生することができる。
【００７２】
また、本実施形態の再生制御装置１の再生条件は、再生を開始する各動画データのフレーム位置（スタートポイント）を含む。
これにより、動画セットを構成する各々の動画データのスタートポイントから動画を再生することができるので、所望の再生条件で各動画を容易に同時再生することができる。
【００７３】
また、本実施形態の再生制御装置１は、複数の動画セットに共通して第１の動画データが含まれる場合、再生条件は、この第１の動画データと組み合わせる相手側の動画データの違いに応じて、この第１の動画データの再生タイミングを合わせるフレーム位置が異なるように指定される。
これにより、第１の動画データと組み合わせる相手側の動画データの違いに応じて再生タイミングを合わせるフレーム位置が異なるフレーム位置となるように再生条件が指定される。したがって、予め第１の動画データとの組み合わされた動画セットが生成された場合には、改めて再生条件を指定することなく、第１の動画データ及び相手側の動画データを各々所望のフレーム位置から同時再生することができる。
【００７４】
また、本実施形態の再生制御装置１は、手本となるゴルフスイングが撮影された第１の動画データが、他の比較対象となる複数のゴルフスイングが撮影された複数の動画データとの間で複数の動画セットを構成する場合、再生条件は、第１の動画データの再生タイミングを合わせるべきフレーム位置であってゴルフスイングに特有の複数のチェックポイントのいずれかに対応するフレーム位置を、相手側の動画データにおいて比較すべきチェックポイントの違いに応じて異ならせるように指定される。
これにより、第１の動画データのゴルフスイングに特有の複数のチェックポイントのいずれかに対応するフレーム位置を、相手側の動画データにおいて比較すべきチェックポイントの違いに応じて異ならせるように指定される。このため、ゴルフスイングのうちインパクトの再生タイミングを合わせるフレーム位置や、トップの再生タイミングを合わせるフレーム位置など、所望のフレーム位置から同時再生することで、各ゴルフスイングを比較しやすく再生することができる。
【００７５】
また、本実施形態の再生制御装置１は、データ選択部７１を更に備える。
データ選択部７１は、複数の動画データを所定の表示デバイスに一覧表示させた状態で、動画セットに含めるべき複数の動画データをユーザに選択させる。そして、データ選択部７１は、１つの動画データが選択された後は、残りの動画データについて、この選択された動画データとの同時再生に不適か否かを判断し、不適と判断した動画データの選択を禁止した状態で、複数の動画データを所定の表示デバイスに一覧表示させる。
これにより、ユーザは禁止されていない状態の動画データを選択するだけで、同時再生するのに適切な動画データのみを選択することができる。したがって、ユーザは特に意識することなく比較しやすい動画データに基づいて同時再生を行うことができる。
【００７６】
また、本実施形態の再生制御装置１の再生条件は、同時再生する複数の動画データを同一画面上に並べて配置する場合の配置条件を含む。
これにより、各動画の縦置きや横置きの設定、各動画の相対的配置位置、各動画の表示サイズ等の配置条件を再生条件として指定することができる。したがって、例えば、同種の配置条件の動画データが選択された場合には、改めて再生条件を指定することなく、所望の配置条件で各動画を比較して同時再生することができる。
【００７７】
また、本実施形態の再生制御装置１は、動画記憶部６１を更に備える。
本実施形態の動画セットは、動画記憶部６１に記憶されている動画データを示す。そして、同時再生制御部４５は、指定された動画セットが示す複数の動画データを動画記憶部６１から読み出して同時再生する。
これにより、動画セットの対象となる動画データを予め準備しておくことで、複数の動画データを容易に比較しやすく再生することができる。
【００７８】
また、本実施形態の再生制御装置１は、撮像部１６と、主制御部４１と、を更に備える。撮像部１６は、動画データを撮影する。そして、主制御部４１は、撮像部１６により撮影した動画データを動画記憶部６１に記憶する。これにより、撮影により得られた動画データをすぐに同時再生の対象とすることができる。
【００７９】
また、本実施形態の再生制御装置１は、通信部２０を更に備える。
通信部２０は、外部機器が記憶している複数の動画データの中から指定された動画データを受信する。本実施形態の動画セットは、通信部２０により受信可能な動画データを示す。そして、同時再生制御部４５は、指定された動画セットが示す複数の動画データを通信部２０により受信して同時再生する。これにより、外部機器において得られた動画データを対象に同時再生の対象とすることができる。
【００８０】
なお、本発明は、上述の実施形態に限定されるものではなく、本発明の目的を達成できる範囲での変形、改良等は本発明に含まれるものである。
【００８１】
また、上述の実施形態では、セット生成部４２により生成される動画セットは、２つの動画データにより構成されているがこれに限られるものではない。例えば、セット生成部４２は、３以上の複数の動画データにより動画セットを生成することができる。
【００８２】
また、動画像の処理単位は、上述の実施形態ではフレームとされていたが、特にこれに限定されず、例えばフィールド等でもよい。換言すると、フレームやフィールドといった、いわゆる「コマ」に相当する画像を「単位画像」と呼ぶならば、動画像は複数の単位画像により構成されており、当該単位画像を動画像の処理単位として採用することができる。
【００８３】
また、上述の実施形態では、本発明が適用される再生制御装置１は、パーソナルコンピュータを例として説明したが、特にこれに限定されない。
例えば、本発明は、画像処理機能を有する電子機器一般に適用することができる。具体的には、例えば、本発明は、テレビジョン受像機、ビデオカメラ、携帯型ナビゲーション装置、携帯電話機、スマートフォン、ポータブルゲーム機等に適用可能である。
【００８４】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が再生制御装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００８５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、Ｂｌｕ−ｒａｙ （登録商標） Ｄｉｓｃ（ブルーレイディスク）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００８７】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００８８】
以上、本発明の実施形態について説明したが、この実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。上記実施形態やその変形は、本明細書等に記載された発明の範囲や要旨に含まれると共に、特許請求の範囲に記載された発明とその均等の範囲に含まれる。
【００８９】
以下に、本願の出願当初の特許請求の範囲に記載された発明を付記する。
［付記１］
同時再生の対象となる複数の動画データを動画セットとして、当該動画セットを単位に再生の制御を実行する再生制御装置であって、
複数の動画データの組み合わせが異なる各々の動画セットに対応させて、この動画セットが示す複数の動画データを同時再生する場合の再生条件を記憶する再生条件記憶手段と、
前記再生条件記憶手段に記憶されている複数の動画セットの中から再生対象となる動画セットが指定された場合に、この指定された動画セットに対応付けて記憶されている再生条件で、この動画セットが示す複数の動画データを同時再生する同時再生制御手段と、
を備えることを特徴とする再生制御装置。
［付記２］
複数の動画データの中から任意の動画データを複数選択することで新たな動画セットを生成する生成手段と、
この生成された動画セットが示す複数の動画データを同時再生する場合の再生条件を指定する指定手段と、
この動画セットと再生条件との対応付けを示す情報を同時再生情報として前記再生条件記憶手段に追加して登録する登録手段と、
を備えることを特徴とする付記１に記載の再生制御装置。
［付記３］
前記再生条件は、同時再生する複数の動画データの再生タイミングを合わせる条件である
ことを特徴とする付記１又は２に記載の再生制御装置。
［付記４］
前記再生条件は、再生タイミングを合わせる各動画データのフレーム位置を含む
ことを特徴とする付記３に記載の再生制御装置。
［付記５］
前記再生条件は、再生を開始する各動画データのフレーム位置を含む
ことを特徴とする付記４に記載の再生制御装置。
［付記６］
複数の動画セットに共通して第１の動画データが含まれる場合、前記再生条件は、この第１の動画データと組み合わせる相手側の動画データの違いに応じて、この第１の動画データの再生タイミングを合わせるフレーム位置が異なるように指定される、
ことを特徴とする付記４又は５に記載の再生制御装置。
［付記７］
手本となるゴルフスイングが撮影された第１の動画データが、他の比較対象となる複数のゴルフスイングが撮影された複数の動画データとの間で複数の動画セットを構成する場合、前記再生条件は、第１の動画データの再生タイミングを合わせるべきフレーム位置であってゴルフスイングに特有の複数のチェックポイントのいずれかに対応するフレーム位置を、相手側の動画データにおいて比較すべきチェックポイントの違いに応じて異ならせるように指定される
ことを特徴とする付記５に記載の再生制御装置。
［付記８］
前記複数の動画データを所定の表示デバイスに一覧表示させた状態で、動画セットに含めるべき複数の動画データをユーザに選択させる選択手段を備え、
前記選択手段は、１つの動画データが選択された後は、残りの動画データについて、この選択された動画データとの同時再生に不適か否かを判断し、不適と判断した動画データの選択を禁止した状態で、前記複数の動画データを前記所定の表示デバイスに一覧表示させる
ことを特徴とする付記２に記載の再生制御装置。
［付記９］
前記再生条件は、同時再生する複数の動画データを同一画面上に並べて配置する場合の配置条件を含む
ことを特徴とする付記１乃至８の何れか１つに記載の再生制御装置。
［付記１０］
複数の動画データを記憶する動画データ記憶手段を更に備え、
前記動画セットは、前記動画データ記憶手段に記憶されている動画データを示し、
前記同時再生制御手段は、前記指定された動画セットが示す複数の動画データを前記動画データ記憶手段から読み出して同時再生する
ことを特徴とする付記１乃至９の何れか１つに記載の再生制御装置。
［付記１１］
動画データを撮影する動画撮影手段と、
前記動画撮影手段により撮影した動画データを前記動画データ記憶手段に記憶する記憶制御手段を更に備える
ことを特徴とする付記１０に記載の再生制御装置。
［付記１２］
外部機器が記憶している複数の動画データの中から指定された動画データを受信する動画データ受信手段を更に備え、
前記動画セットは、前記動画データ受信手段により受信可能な動画データを示し、
前記同時再生制御手段は、前記指定された動画セットが示す複数の動画データを前記動画データ受信手段により受信して同時再生する
ことを特徴とする付記１乃至９の何れか１つに記載の再生制御装置。
［付記１３］
同時再生の対象となる複数の動画データを動画セットとして、当該動画セットを単位に再生の制御を実行する再生制御装置が実行する再生制御方法であって、
複数の動画データの組み合わせが異なる各々の動画セットに対応させて、この動画セットが示す複数の動画データを同時再生する場合の再生条件を記憶する再生条件記憶ステップと、
前記再生条件記憶ステップにおいて記憶された複数の動画セットの中から再生対象となる動画セットが指定された場合に、この指定された動画セットに対応付けて記憶されている再生条件で、この動画セットが示す複数の動画データを同時再生する同時再生制御ステップと、
を含むことを特徴とする再生制御方法。
［付記１４］
同時再生の対象となる複数の動画データを動画セットとして、当該動画セットを単位に再生の制御を実行するコンピュータを、
複数の動画データの組み合わせが異なる各々の動画セットに対応させて、この動画セットが示す複数の動画データを同時再生する場合の再生条件を記憶する再生条件記憶手段、
前記再生条件記憶手段に記憶されている複数の動画セットの中から再生対象となる動画セットが指定された場合に、この指定された動画セットに対応付けて記憶されている再生条件で、この動画セットが示す複数の動画データを同時再生する同時再生制御手段、
として機能させることを特徴とするプログラム。
【符号の説明】
【００９０】
１・・・再生制御装置、１１・・・ＣＰＵ、１２・・・ＲＯＭ、１３・・・ＲＡＭ、１４・・・バス、１５・・・入出力インターフェース、１６・・・撮像部、１７・・・入力部、１８・・・出力部、１９・・・記憶部、２０・・・通信部、２１・・・ドライブ、３１・・・リムーバブルメディア、４１・・・主制御部、４２・・・セット生成部、４３・・・再生条件指定部、４４・・・同時再生情報登録部、４５・・・同時再生制御部、６１・・・動画記憶部、６２・・・同時再生情報記憶部、７１・・・データ選択部
【図１】
0006020665.tif 000002
【図２】
0006020665.tif 000003
【図４】
0006020665.tif 000004
【図５】
0006020665.tif 000005
【図３】
0006020665.tif 000006
【図６】
0006020665.tif 000007
【図７】
0006020665.tif 000008
【図８】
0006020665.tif 000009
【図９】
0006020665.tif 000010
【図１０】
0006020665.tif 000011
【図１１】
0006020665.tif 000012
【図１２】
0006020665.tif 000013
【図１３】
0006020665.tif 000014
【図１４】
0006020665.tif 000015
【図１５】
0006020665.tif 000016
【図１６】
0006020665.tif 000017